(57)【要約】パンチガイド組立体は、パンチガイド（２）内にストリッパプレート（６）を保持する、すなわち、パンチツールの残りの種々の構成要素を分解しないで取り外すことができる保持クリップ（７）を備えている。保持クリップは、ツールを追加して使用せずに、パンチガイドに容易に挿入可能で、パンチガイドの側壁の開口部（１６）から容易に取り外し可能である。
2004500242.tif 000002
【特許請求の範囲】
【請求項１】
パンチツールで使用するためのパンチガイド組立体であって、
少なくとも１つの開口端とパンチガイド側壁の少なくとも１つの開口部とを有するチューブを備える前記パンチガイドと、
前記開口端内に挿入可能なストリッパプレートと、
前記パンチガイドの外側から前記開口部へ挿入可能な保持クリップとを備えるパンチガイド組立体であって、
前記保持クリップは、前記パンチガイドに挿入されると、前記ストリッパプレートと係合し内部で前記ストリッパプレートを保持し、また、前記ストリッパプレートを解放して前記パンチガイドから前記ストリッパプレートを取り外すことができるように、前記開口部から取り外し可能であるパンチガイド組立体。
【請求項２】
前記保持クリップは、Ｃ字形を形成するように、バーによりその両端部で接続された２つの側方アームを備えており、
前記ストリッパプレートを操作位置に保持するために、前記保持クリップが前記開口部に挿入されると、前記２つの側方アームは、前記ストリッパプレートの対向する側壁と弾性的に係合する請求項１に記載のパンチガイド組立体。
【請求項３】
前記ストリッパプレートは、その外側側壁に少なくとも１つの溝を備え、
前記溝は、前記ストリッパプレートが前記パンチガイドに作動可能に挿入されると、前記開口部と一致して並び、また、前記保持クリップの前記２つの側方アームは、前記開口部に挿入されると前記溝と係合する請求項２に記載のパンチガイド組立体。
【請求項４】
前記パンチガイドは、少なくとも１つの溝をその内側壁に備えており、
前記パンチガイドの前記溝は、前記ストリッパプレートが前記パンチガイドに作動可能に挿入されると、前記ストリッパプレートの前記溝と一致して並び、前記保持クリップの前記側方アームは、前記保持クリップが前記開口部に挿入されると前記パンチガイドの前記溝に延びる突出部を有する請求項３に記載のパンチガイド組立体。
【請求項５】
前記溝は、前記ストリッパプレートの円周を延びる単一の溝である請求項３に記載のパンチガイド組立体。
【請求項６】
前記パンチガイドは、前記保持クリップの個別の側方アームを受け入れるための２つの開口部を有する請求項２に記載のパンチガイド組立体。
【請求項７】
前記パンチガイドは、該パンチガイドの内側面に長手方向に延びる複数のスロットを備えており、
前記ストリッパプレートは、その上端部から外側垂直方向に延びる突起部を備え、前記突起部は、前記パンチガイドについて前記ストリッパプレートが回転するのを防止するための前記スロットのいずれか１つで受け入れ可能である請求項１に記載のパンチガイド組立体。
【発明の詳細な説明】
【０００１】
（発明の属する技術分野）
本発明は、パンチガイド組立体、特に、パンチガイドの定位置にストリッパプレートを保持するための保持ガイド挿入用の開口部を備えるパンチガイドに関するものである。保持クリップは、ストリッパプレートを解放するように、パンチガイドの開口部から容易に取り外し可能で、これにより、パンチガイドからストリッパプレートを取り外すことができる。
【０００２】
（発明の背景）
パンチプレス機で用いるためのパンチユニットは、パンチと接続されたパンチドライバを備えているのが一般的である。パンチドライバは、後端部にパンチヘッドを備えている。圧縮バネなどのプレロードをかけられた圧縮手段が、パンチヘッドとパンチガイドとの間に備えられる。パンチガイドは、パンチを受け取り案内するものである。ストリッパプレートは、パンチガイドの底部に配置される。ストリッパプレートは、パンチ先端部のプレートと同じ形状の開口部を有する硬化されたプレートである。
【０００３】
パンチストローク中に、ラムが、パンチヘッドに押圧して、パンチ先端部をワークピースに入らせる。次に、プレロードをかけられた圧縮手段は、ワークピースからパンチ及びパンチドライバを離し、通常位置に戻す。パンチ先端部がワークピースを出ると、ストリッパプレートは、切断された孔の縁部がパンチ先端部に付随するのを防止する。
【０００４】
パンチ及びストリッパプレートは、摩滅により、または、異なる形状のパンチ先端部が必要であるという理由から、交換されることがよくある。ストリッパの開口部は、パンチ先端部の形状とぴったりと適合していなければならないので、パンチを交換する際には、さらに、ストリッパプレートを交換する必要があるのが典型的である。
【０００５】
従って、パンチガイド組立体、すなわち、該組立体において、パンチツールを完全に分解せずに、ストリッパプレートのパンチガイドへの取り外しを迅速かつ容易に行うことができる組み合わせられたパンチガイドとストリッパプレートに対する要請がある。
【０００６】
（発明の概要）
従って、本発明の目的は、先行技術の欠点を克服することであり、また、ストリッパプレートをさらに容易にかつ迅速に装着及び取り外しができるパンチガイドプレスを提供することである。
【０００７】
本発明の好ましい実施形態によれば、パンチツールで使用するためのパンチガイド組立体は、１つの開口端と側壁の少なくとも１つの開口部とを有するパンチガイドを備える。ストリッパプレートは開口端に挿入可能である。保持クリップは、パンチガイドの外側から側壁の開口部に挿入可能である。保持クリップは、パンチガイドに挿入されると、ストリッパプレートと係合して、内部でストリッパプレートを保持する。保持クリップは、保持クリップを取り外せるようにパンチガイドの外側から容易に取扱い可能であり、これにより、パンチガイドからストリッパプレートを解放することができる。好ましい実施形態において、保持クリップは、バーによりその端部にＣ字形を形成するように接続された２つの側方アームを備えている。これらの２つの側方アームは、保持クリップがパンチガイドの壁の開口部に挿入されると、ストリッパプレートの対向する側壁の溝と摩擦して係合する。
【０００８】
パンチガイドには、内側側壁に、ストリッパプレートの溝に対応する溝を備えることが可能である。この溝は、保持クリップから外側へ延びる突出部により係合されており、その結果、ストリッパプレートがパンチガイドの定位置によりしっかりと保持される。
【０００９】
従って、本発明の目的は、ストリッパプレートを、パンチツールの残りの部分を分解せずに、取り外したり再配置することができるパンチガイド組立体を提供することである。
【００１０】
本発明の他の目的は、ストリッパプレートが、ツールを追加して使用せずに、容易に、パンチガイドから取り外されたりパンチガイドへ挿入されるパンチガイド組立体を提供することである。
【００１１】
本発明のこれら及び他の目的は、以下の詳細な説明から明らかとなるだろう。
【００１２】
（好ましい実施形態）
ここで、図面を参照すると、いくつかの図において、同様のエレメントについては、同様の番号で表している。
【００１３】
図１は、概略を図示した本発明のストリッパプレート及び保持クリップを有する、完全に組み立てたパンチツールを図示している。パンチツールは、取り外し可能で、パンチガイド２を直線に案内されるパンチ１を備えている。パンチドライバ２５がパンチ１に接続されている。パンチドライバ２５は、後端部にパンチヘッド２６を備えている。圧縮バネ２７のような、プレロードをかけられた圧縮手段が、パンチヘッド２６とパンチガイド２との間に備えられている。パンチガイド２についてパンチ１が回転するのを防止するのは、パンチガイド２の内側長手方向溝４と係合する、パンチ１に固定されたピン３のような回転防止手段である。図示していないがパンチプレス機上の装置が、外側から溝５に係合して、パンチプレス機に回転不可能に維持し得るように、軸溝５が半径方向外向きに開口している。ストリッパプレート６は、パンチガイド２の開口下端部に挿入されており、また、ストリッパプレート６の上端部２８と係合する肩部２４により、ストリッパプレート６がパンチガイド２内へさらに動いていくのが防止されている。次に、ストリッパプレート６は、保持クリップ７によりパンチガイド２の下端部に固着される。
【００１４】
図２及び図３に図示したように、ストリッパプレート６は、パンチ先端部が案内される孔１１を有する。孔１１の大きさ及び形状は、当然、パンチ先端部の大きさ及び形状により種々変更されるだろう。ストリッパプレート６は、図３に図示したように、さらに、上端部２８から上方へ垂直に延び、パンチガイド２の内側の１つまたはそれ以上の長手方向スロット１３内に適合するように設計された、突起部１２を備えている。これにより、ストリッパプレート６が、パンチガイド２について回転しないように、パンチガイド２の定位置に保持される。
【００１５】
図４は、保持クリップ７の好ましい実施形態を図示している。本好ましい実施形態において保持クリップは２つの側方アーム８を備えている。側方アーム８はバー９により端部で接続されてＣ型形状となっている。アーム８はストリッパプレート６の側壁と弾力的に係合する。ストリッパプレートは、図２及び図３に図示したように、側壁に、保持クリップ７の側方アーム８を受け取るための溝１０を備えているのが好ましい。溝１０は、ストリッパプレート６が異なる位置へ回転した場合、すなわち、パンチガイド２の内側の異なる長手方向スロット１３内で突起部１２が受け取られるように、ストリッパプレート６のほぼ全周を延びるのが好ましい。
【００１６】
図５及び図６に図示したように、パンチガイド２は、保持クリップ７の各側方アーム８を受け取るための開口部１５を備えている。これらの開口部１５は、ストリッパプレート６がパンチガイド２へ十分に挿入されると、溝１０と一直線に並ぶ。パンチガイド２には、開口部１６付近の外壁にわずかなくぼみ部２３を備えることができ、このくぼみ部２３により、保持クリップ７をパンチガイドから取り外す際に、さらに容易に保持クリップ７をつかむことができる。パンチガイド２は、さらに、保持クリップの突出部１７を受け取るための開口部１６を備えることができる。突出部１７は、開口部１６に配置されると、保持クリップ７がパンチガイド２及びストリッパプレート６について回転しないように機能する。このため、図７に図示したように、保持クリップ７をパンチガイド２へ挿入すると、突出部１７の縁部１９が、溝１０に対してぴったり押し付けられるされる。
【００１７】
図６に図示したように、溝１８が、さらに、バー９を受け取るように、パンチプレスガイド２の外側に備えられる。このように、バー９はパンチガイド２の領域２９にぴったり押し付けられる。保持リングを取り外すために保持クリップ７を容易につかまえられる、小さい切り欠き部２２または他の手段を備えるのが好ましい。例えば、小さいワイヤリングを切り欠き部２２に配置することができ、これにより、パンチガイド２から保持クリップ７を容易に引き出すことができる。
【００１８】
好ましい実施形態において、パンチガイド２の内側壁はさらに円周方向に延びる溝１４を備えており、この溝１４は、ストリッパプレート６がパンチガイド２の下端開口部へ完全に挿入されると、ストリッパプレート６の溝１０と一直線に並ぶ。ストリッパプレート６の溝１０とは異なり、パンチガイド２の溝１４は、パンチガイド２の全円周を延びている必要はない。保持クリップ７は、ストリッパガイド６がパンチガイド２内の定位置にさらにしっかりと保持されるように、パンチガイド２の溝１４へ延びる端部に突起部２０を備えている。
【００１９】
本発明の好ましい実施形態についてかなり詳細に説明してきたが、許請求の範囲で示したような本発明の精神及び範囲を逸脱しない種々の変更及び改良が、特当業者には明らかであろう。
【図面の簡単な説明】
【図１】
組み立て完了状態のパンチユニットの長手方向の中央断面図である。
【図２】
パンチガイド組立体で使用されるストリッパプレートを上面から見た斜視図である。
【図３】
保持クリップが取り外された状態のパンチガイドを長手方向から見た中央断面図である。
【図４】
保持クリップの平面図である。
【図５】
保持クリップ挿入用の開口部を図示したパンチガイドを正面から見た断面図である。
【図６】
図３の線Ａ−Ａに沿う断面図である。
【図７】
保持クリップ挿入後の図３の線Ａ−Ａに沿う断面図である。
【国際公開パンフレット】
2004500242.tif 000003
2004500242.tif 000004
2004500242.tif 000005
2004500242.tif 000006
2004500242.tif 000007
2004500242.tif 000008
2004500242.tif 000009
2004500242.tif 000010
2004500242.tif 000011
2004500242.tif 000012
2004500242.tif 000013
2004500242.tif 000014
2004500242.tif 000015
【国際調査報告】
2004500242.tif 000016
2004500242.tif 000017